(57)【要約】【課題】  現行のペットボトルには、キャップ本体に開栓確認用のリング（７）が取り付けられているが、リング部分のペットボトル本体からの取り外しが容易ではなく、リサイクルの障害となっている。【解決手段】  ペットボトルについて、キャップのリングの内周部分に噛み合わせ用突起物（２）を設け、本体の、上記リングに栓がされた状態で対応する部分（４）の外周部分に逆切りの噛み合わせ用突起物（１）を設ける。開栓時には横方向への力が働くため、両方の噛み合わせ用突起物（１及び２）が噛み合うことにより、キャップのリングとの接続部分（６）が破断され、開栓の確認ができる。  この方法によると、現行品のペットボトル本体のリング上部に対応する部分の突起（８）は不要となり、またリングの内周部分の直径を、本体のねじ山の頂点部分の外周部分の直径を上回るようにすることによってリングは容易に取り外せる。【選択図】図１
2009046190.tif 000002
【特許請求の範囲】
【請求項１】
ペットボトルについて、キャップのリングの内周部分に噛み合わせ用突起物を設け、本体の、上記リングに栓がされた状態で対応する部分の外周部分に、上記キャップのリングの内周部分の噛み合わせ用突起物と噛み合う形態の、逆切りの噛み合わせ用突起物を設け、また上記リングの内周部分の直径を、上記本体のねじ山の頂点部分の外周部分の直径を上回るよう工夫したペットボトル。
【発明の詳細な説明】
【技術分野】
【０００１】  本発明はペットボトルリング（７）の取り外しが容易になるように、ペットボトル及びキャップの形状を工夫したものである。
【背景技術】
【０００２】  地球温暖化などの環境破壊の進行により、国民の資源リサイクルやゴミ分別回収に係る意識は高まりを見せている。ペットボトルは、再資源化の最も進んだ品目のひとつであり、ほとんどの自治体がごみ回収の際には分別回収を行っているところである。
現在流通しているペットボトルには、キャップ本体に開栓確認用のリング（７）が取り付けられており、キャップを一度開栓すると、キャップ本体とリング（７）部分が接続部分（６）で破断され、消費者が開栓済みであることを容易に確認できるようになっている。
一方、分別回収時には、ペットボトル本体とキャップの原料成分が異なるため、キャップはペットボトルと別にプラスチックごみとして回収されるが、現行品では、リング（７）部分のペットボトル本体からの取り外しが困難であり、リング（７）が付着したままペットボトルとして資源回収される場合がほとんどである。
一部のリサイクル意識の高い国民はリング（７）を取り外して回収に出しており、リング（７）を取り外すためのハサミ状の商品も市販されているが、全ての国民にそれを求めるのは困難である。
リング（７）については、ペットボトル本体と材質が異なるため、資源リサイクル工程において、リング（７）部分の材質を除去するための工程を余計に設けており、リサイクルのコストが上昇しているとともに、リサイクルに要するエネルギーも余計に要しているところである。
これらの問題を解決するためにリング（７）部分の取り外しを容易にする工夫がされた過去の文献には以下のものがあるが、いずれもリング（７）の強度面や製造コスト面、飲料の封入工程面などの問題から実用化はされていないところである。
【特許文献１】特開２００７−１８６２５３
【特許文献２】特開２００７−１０６４５１
【特許文献３】特開２００６−２３２３９２
【特許文献４】特開２００６−２１３３６１
【特許文献５】特開２００６−１７６２０４
【特許文献６】特開２００５−３３０００４
【特許文献７】特開２００５−２４７４２５
【特許文献８】特開２００５−１７６２
【特許文献９】特開２００４−１１５１２７
【特許文献１０】特開２００２−２７４５５２
【特許文献１１】特許第３６８２９７３号
【特許文献１２】特許第３３７８００５号
【特許文献１３】特許第３３４３１６９号
【発明の開示】
【発明が解決しようとする課題】
【０００３】  現行のペットボトルでは、ペットボトル本体のリング（７）上部に対応する部分に突起（８）がある。
キャップ開栓時に上方向への力が働くが、リング（７）がこの突起（８）に引っかかることによって、キャップ本体とリング（７）の接続部分（６）が破断され、リング（７）はペットボトル本体に取り残される。
キャップ本体とリング（７）の接続部分（６）の破断には有効な方法だが、ペットボトル本体の突起（８）があるため、廃棄時のリング（７）の取り外しが困難である。
【課題を解決するための手段】
【０００４】  本発明は、ペットボトルのリング（７）を消費者が容易に取り外せるように、ペットボトル本体及びペットボトルキャップの形状を工夫したものである。
キャップのリング（７）の内周部分に噛み合わせ用突起物（２）を設ける。
上記リング（７）に栓がされた状態で対応する部分（４）の外周部分に、（２）と噛み合う形態の、逆切りの噛み合わせ用突起物（１）を設ける。
キャップの取り外し時には、一義的に横方向への力が働くため、両方の噛み合わせ用突起物（１及び２）が噛み合うことにより、キャップ本体とリング（７）の接続部分（６）が破断され、開栓の確認ができる。
この方法によると、横方向への力で接続部分の破断が実現されるため、ペットボトル本体のリング（７）上部に対応する部分の突起（８）は不要となる。
また、リング内周の直径をペットボトル本体のねじ山の頂点部分（３）の外周直径を上回るようにし、ねじ山がリング（７）を取り外す際の障害にならないようにする。
これらより、ペットボトルを捨てる際、リング（７）は容易に取り外せる。
【発明の効果】
【０００５】  今後も環境破壊は進行し、国民のリサイクルへの関心はますます高まることが予想されるが、本発明により、ペットボトルのリング（７）を容易に取り外せるようになるため、消費者がリサイクルに出す際に、分別がより適正になされるようになる。
これにより、リサイクル工程におけるコストとエネルギーが節約され、経済的負荷および環境負荷が低減される。
昨今、企業における環境保全に対する取り組みが大きくクローズアップされており、環境対策に積極的であることは、消費者に対する絶好のアピールポイントである。
しかしながら、現状の企業の取り組みの多くは、内部的な資源・エネルギーの節約となっており、なかなか消費者には見えてこないのが実態である。
今回の発明は、消費者にとって「目に見えやすい」環境対策であるため、飲料メーカーにとっては企業のイメージアップにもつながるものである。
【実施例】
【０００６】  現行品のペットボトル本体のリング（７）上部に対応する部分の突起（８）を廃し、代わりに、現行品の（８）突起の頂点部分からスカート部（５）までつながる円柱状の面（４）を形成する。円柱上の面（４）の外周直径は、ペットボトル本体のねじ山の頂点部分（３）の外周直径を上回るものとする。【０００７】  円柱状の面（４）の外周には噛み合わせ用突起物（１）を設ける。噛み合わせ用突起物（１）は低い山と谷で構成する。山の片側斜面は外周円に対してほぼ垂直に、逆の片側斜面はなだらかに形成する。【０００８】  ペットボトルキャップのリング（７）部分の内周には、（１）と逆切りの噛み合わせ用突起物（２）を設ける。こちらの噛み合わせ用突起物（２）も低い山と谷で構成する。山の片側斜面は内周円に対してほぼ垂直に、逆の片側斜面はなだらかに形成する。【０００９】  消費者がキャップを開封する際には、反時計回りの横方向の力によって開封する。
開封の際、両方の噛み合わせ用突起物（１及び２）が噛み合うことにより、キャップ本体とリング（７）の接続部分（６）が破断され、開栓の確認ができるようになる。これらの噛み合わせ用突起物（１および２）が噛み合っている状態が図１である。【００１０】  消費者が、ペットボトルをリサイクルに出す際は、リング（７）の両端をつまんで、上方に引き上げるだけで簡単に取り外せる。
なお、円柱上の面（４）の外周直径をペットボトル本体のねじ山の頂点部分（３）の外周直径を上回るものとしていることから、リング（７）内周の直径は、ペットボトル本体のねじ山の頂点部分（３）の外周直径を上回るので、ねじ山は取り外す際の障害にはならない。【００１１】  メーカーが飲料を充填し、キャップを装着する際の工程は、現在と変わらない。
噛み合わせ用突起物（１及び２）は低い山と谷で構成されるため、順方向へのねじ込みは容易であり、メーカーは飲料を充填後、普通にキャップをねじ込むだけで良い。【００１２】  なお、お茶などの風味が重視される飲料は、空気に触れる部分を少なくするために満タン充填するが、ペットボトル飲料の充填時に、若干中身がこぼれてペットボトル本体とキャップの隙間に滞留することがある。これを除去するために、キャップ上部のスリットから高圧の水を噴射するなどして洗浄するが、この洗浄水を下から逃がすためにペットボトル本体とキャップの間には、若干の隙間が必要となる。
今回の発明では、この隙間も確保されているため、現状と同様の工程で洗浄が可能である。
【図面の簡単な説明】
【００１３】
【図１】発明品のペットボトルの本体と発明品のキャップを、栓がされた状態で、図４のＡ−Ａ’及び図５のＢ−Ｂ’（栓がされた状態では両者は同一箇所）で水平に輪切りし上方から見た断面図である。
【図２】発明品のペットボトルの本体を図４のＡ−Ａ’で水平に輪切りし上方から見た断面図である。
【図３】発明品のキャップを図５のＢ−Ｂ’で水平に輪切りし上方から見た断面図である。
【図４】発明品のペットボトルの本体の側面図である。
【図５】発明品のキャップの側面図である。
【図６】現行品のペットボトルの本体の側面図である。
【符号の説明】
【００１４】（１）ペットボトル本体の円柱状の面（４）の外周に設けた噛み合わせ用突起物。
（２）ペットボトルキャップのリング（７）部分の内周に設けた、（１）と逆切りの噛み合わせ用突起物。
（３）ペットボトル本体のねじ山の頂点部分。
（４）現行品の（８）突起の頂点部分からスカート部（５）までつながる形で形成された円柱状の面。
（５）ペットボトル本体のスカート部。
（６）キャップ本体とリング（７）の接続部分。
（７）リング。
（８）現行品のペットボトル本体のリング（７）上部に対応する部分の突起。
【図１】
2009046190.tif 000003
【図２】
2009046190.tif 000004
【図３】
2009046190.tif 000005
【図４】
2009046190.tif 000006
【図５】
2009046190.tif 000007
【図６】
2009046190.tif 000008